(57)【特許請求の範囲】
【請求項１】
一面に既設のコンセントに挿抜可能な一対の栓刃が突設されるとともに栓刃と電気的に接続される端子部、及び一対の端子ピンが挿通される挿通孔を有する器体から成る第１のアダプタ半体と、挿通孔を介して端子部に電気的に接続可能な一対の端子ピン、及び端子ピンに電気的に接続され且つ前記コンセントに挿抜可能なプラグに設けられたプラグ栓刃を受ける刃受部を収納する器体から成る第２のアダプタ半体とから構成され、第１のアダプタ半体と第２のアダプタ半体との何れか一方に設けられたマグネットと、他方に設けられた磁性体から成る磁着片との間に作用する磁着力によって第２のアダプタ半体が第１のアダプタ半体に着脱自在に結合されるマグネット式コンセントアダプタであって、第１のアダプタ半体は、一面に前記挿通孔が貫設されるとともにマグネット又は磁着片の何れかを保持する中カバーを備え、第１のアダプタ半体の器体には、中カバーの前記一面を外部に臨ませる開口が設けられ、該開口の内周縁に端子ピンの挿入方向において中カバーが係止する係止部が設けられたことを特徴とするマグネット式コンセントアダプタ。
【請求項２】
前記端子部は、端子ピンが弾接するとともに端子ピンの挿入方向に撓み自在な接触ばねから成り、第１のアダプタ半体の器体には、接触ばねの撓み量を制限するストッパが設けられたことを特徴とする請求項１記載のマグネット式コンセントアダプタ。 
【発明の詳細な説明】
【技術分野】
【０００１】
本発明は、コンセントと該コンセントに接続可能なプラグとの間に介装され、コンセントとプラグとを磁着して接続可能とするマグネット式コンセントアダプタに関する。
【背景技術】
【０００２】
従来から、プラグのコードに外力が作用した時におけるコードの断線を防止したり、コードが接続されている電気機器の転倒を防止したりするために、マグネットを用いることで一般的なコンセントよりも弱い引抜力でコンセントからプラグが外れるようにしたマグネット式コンセントが用いられているが、このようなマグネット式コンセントは、通常用いられるコンセントとは異なり特殊な形状をしているため、電気工事業者による施工が必要であった。そこで、電気工事を施すことなくマグネット式コンセントと同様の機能を得るために、コンセントとプラグの間に介装されて、これらを磁着可能とするマグネット式コンセントアダプタが提供されており、例えば特許文献１に開示されている。
【０００３】
この従来例は、壁面に設けられたコンセント側に接続する第１のアダプタ半体と、外部の負荷に接続されたプラグ側に接続する第２のアダプタ半体とから構成されるものであり、第１のアダプタ半体は、一面に壁面に設けられたコンセントのコンセント口に接続可能な一対の栓刃、及び他面側に貫設されて一対の端子ピンが挿通される挿通孔、及び該挿通孔に挿通される端子ピンと前記栓刃とを電気的に接続する端子部を有する器体から成り、第２のアダプタ半体は、一面側に前記一対の端子ピンを備えるとともに他面側にプラグのプラグ栓刃が接続可能且つ端子ピンと電気的に接続された刃受部を有する器体から成り、第１のアダプタ半体と第２のアダプタ半体とを、第１のアダプタ半体に設けられたマグネットと第２のアダプタ半体に設けられた磁着片との間に作用する磁着力によって結合する。
【０００４】
また、第１のアダプタ半体の器体は、栓刃が設けられた一面と挿通孔が設けられた他面とが互いに直交するように形成されており、第１のアダプタ半体を壁面に設けられたコンセントに接続した際に、前記他面が地面と対向するようになっている。而して、マグネット式コンセントアダプタが全体的にコンパクトになり、壁面からの突出量を抑えることができる。
【特許文献１】特開２００５−２４３３１２号公報
【発明の開示】
【発明が解決しようとする課題】
【０００５】
ところで、上記従来例では、第１のアダプタ半体の器体内に一面に端子ピンが挿通される挿通孔が貫設されるとともにマグネットを保持する中カバーが収納されており、第１のアダプタ半体の器体の前記他面側には、該中カバーの前記一面を外部に臨ませる開口が設けられている。このため、第１のアダプタ半体に接続された第２のアダプタ半体を引き抜く際に、マグネットと磁着片との間に作用する磁着力によって中カバーに荷重がかかり、第２のアダプタ半体を引き抜く動作に伴って中カバーが前記開口を介して第１のアダプタ半体の器体から脱落する虞があった。
【０００６】
本発明は、上記の点に鑑みて為されたもので、第２のアダプタ半体を引き抜く動作に伴って中カバーが脱落するのを防ぐことのできるマグネット式コンセントアダプタを提供することを目的とする。
【課題を解決するための手段】
【０００７】
請求項１の発明は、上記目的を達成するために、一面に既設のコンセントに挿抜可能な一対の栓刃が突設されるとともに栓刃と電気的に接続される端子部、及び一対の端子ピンが挿通される挿通孔を有する器体から成る第１のアダプタ半体と、挿通孔を介して端子部に電気的に接続可能な一対の端子ピン、及び端子ピンに電気的に接続され且つ前記コンセントに挿抜可能なプラグに設けられたプラグ栓刃を受ける刃受部を収納する器体から成る第２のアダプタ半体とから構成され、第１のアダプタ半体と第２のアダプタ半体との何れか一方に設けられたマグネットと、他方に設けられた磁性体から成る磁着片との間に作用する磁着力によって第２のアダプタ半体が第１のアダプタ半体に着脱自在に結合されるマグネット式コンセントアダプタであって、第１のアダプタ半体は、一面に前記挿通孔が貫設されるとともにマグネット又は磁着片の何れかを保持する中カバーを備え、第１のアダプタ半体の器体には、中カバーの前記一面を外部に臨ませる開口が設けられ、該開口の内周縁に端子ピンの挿入方向において中カバーが係止する係止部が設けられたことを特徴とする。
【０００８】
請求項２の発明は、請求項１の発明において、端子部は、端子ピンが弾接するとともに端子ピンの挿入方向に撓み自在な接触ばねから成り、第１のアダプタ半体の器体には、接触ばねの撓み量を制限するストッパが設けられたことを特徴とする。
【発明の効果】
【０００９】
請求項１の発明によれば、第１のアダプタ半体に接続された第２のアダプタ半体を引き抜く際に中カバーにかかる荷重を係止部で受けるので、第２のアダプタ半体を引き抜く動作に伴って中カバーが脱落するのを防ぐことができる。
【００１０】
請求項２の発明によれば、仮に接触ばねを端子ピンによって必要以上の力で押圧したとしても、ストッパによって接触ばねの撓み量が制限されるために接触ばねが変形するのを防ぐことができる。したがって、接触ばねの変形に伴う接圧の低下によって接触抵抗が増大して発熱するのを防ぐことができる。
【発明を実施するための最良の形態】
【００１１】
以下、本発明に係るマグネット式コンセントアダプタの実施形態について図面を用いて説明する。本実施形態は、図１（ａ）〜（ｃ）に示すように、壁の一面に既設のコンセント（図示せず）のコンセント口（図示せず）に挿抜可能な一対の栓刃１０が突設されるとともに栓刃１０と電気的に接続される端子部１１、及び一対の端子ピン２０が挿通される挿通孔１３ａ，１４ａを有する器体１から成る第１のアダプタ半体Ａと、挿通孔１３ａ，１４ａを介して端子部１１に電気的に接続可能な一対の端子ピン２０、及び端子ピン２０に電気的に接続され且つ前記コンセントに挿抜可能なプラグ（図示せず）に設けられたプラグ栓刃（図示せず）を受ける刃受部（図示せず）を収納する器体２から成る第２のアダプタ半体Ｂとから構成され、第１のアダプタ半体Ａに設けられたマグネット１６と、第２のアダプタ半体Ｂに設けられた磁性体から成る磁着片２１との間に作用する磁着力によって第２のアダプタ半体Ｂが第１のアダプタ半体Ａに着脱自在に結合される。
【００１２】
第１のアダプタ半体Ａの器体１は、図２（ａ）に示すように、コンセントに接続される一面である前面部１ａ及び第２のアダプタ半体Ｂが接続される一面である底面部１ｂを有し、前面部１ａから底面部１ｂにかけて湾曲する曲面形状に形成された箱体から成り、前面部１ａに栓刃１０を挿通する挿通孔（図示せず）が貫設されている。器体１の両側面（図２（ａ）における紙面手前側、及び紙面奥側）には、それぞれ凹状に窪んだ把持部１ｃが設けられており、該把持部１ｃを手の指で把持することで器体１を持ち易くしている。器体１の底面部１ｂには、図１（ｂ）に示すように、後述する中カバー１３の挿通孔１３ａが貫設された一面を外部に臨ませる開口１ｅが設けられている。
【００１３】
器体１の内部の前面部１ａ側には、図１（ａ）に示すように、一対の栓刃１０が突設された箱体の中ボディ１２が前記挿通孔に栓刃１０を挿通させた形で収納される。中ボディ１２は、その一端部に栓刃１０が配設されるとともに他端部に端子部１１が配設され、他端部の端子ピン２０が対向する一面は、端子ピン２０の挿入方向と直交する平面と平行するようになっている。端子部１１は、図３（ａ），（ｂ）に示すように、端子ピン２０が弾接するとともに端子ピン２０の挿入方向に撓み自在な接触ばね１１ａから成り、端子ピン２０の先端部が該接触ばね１１ａに弾接することで、栓刃１０と端子ピン２０とが電気的に接続されるようになっている。
【００１４】
また、中ボディ１２には、接触ばね１３の端子ピン２０と接触する一片の端部と当接するとともに前記一片の端子ピン２０の挿入方向における撓み量を制限するストッパ１２ａが一体に形成されている。而して、仮に接触ばね１１ａを端子ピン２０によって必要以上の力で押圧したとしても、該ストッパ１２ａによって接触ばね１１ａの撓み量が制限されるために接触ばね１１ａが変形するのを防ぐことができる。このため、接触ばね１１ａの変形に伴う接圧の低下によって接触抵抗が増大して発熱するのを防ぐことができる。
【００１５】
器体１の内部の底面部１ｂ側には、図３（ｂ）に示すように、一面に端子ピン２０が挿通される挿通孔１３ａが貫設されるとともにマグネット１６を保持する中カバー１３と、挿通孔１３ａを閉塞する位置と開放する位置との間で回動自在な扉体１５と、挿通孔１３ａと連通する挿通孔１４ａが貫設されるとともに扉体１５を保持する中枠１４とが収納される。
【００１６】
中カバー１３は長尺平板状に形成され、長手方向における略中央部には略円形状の一対の挿通孔１３ａが貫設されている。また、長手方向における両端部には、図４に示すように、それぞれ平板状のマグネット１６及びマグネット１６を挟持する一対の平板状のヨーク１７が保持されている。各ヨーク１７の一端部は、図１（ｂ）に示すように、一対の挿通孔１３ａを挟んで長手方向両端それぞれに貫設された２対の略矩形状の通孔１３ｂを介して外部に露設されている。而して、ヨーク１６と磁着片２１との間に作用する磁着力によって第１のアダプタ半体Ａと第２のアダプタ半体Ｂとが結合される。また、中カバー１３の長手方向における略中央部には、端子ピン２０の挿入方向と反対方向に突設された凸状の位置決め凸部１３ｃが設けられている。
【００１７】
尚、本実施形態では、中カバー１３の長手方向における両端部にマグネット１６及びヨーク１７をそれぞれ配設しているが、例えば図５（ａ），（ｂ）に示すように、中カバー１３の長手方向における両端部にそれぞれ略長円状のマグネット１６を保持させ、略円形状の通孔１３ｂを介してマグネット１６の一部を外部に露設させるように構成しても構わない。
【００１８】
中枠１４は、図４に示すように長尺平板状に形成され、中カバー１３の挿通孔１３ａと連通する一対の略長円状の挿通孔１４ａが長手方向に沿って貫設されている。中枠１４は、中カバー１３との間で扉体１５を挟持して保持する。また、中枠１４には、挿通孔１３ａに端子ピン２０が挿入されていない状態で扉体１５が挿通孔１３ａを閉塞するように扉体１５を付勢するばね部材１４ｂが設けられている（図３（ｂ）参照）。扉体１５は、挿通孔１３ａに挿入された端子ピン２０の先端部に押圧されて回動し、挿通孔１３ａを開放するようになっている。尚、上記のような扉体１５は周知であるので、ここでは詳細な説明を省略するものとする。
【００１９】
第２のアダプタ半体Ｂは、図２（ａ），（ｂ）に示すように、一対の端子ピン２０と、一対の磁着片２１と、一対の刃受部とを略直方体状の器体２に備えて成る。器体２の上面（図２（ａ）における上側の面）の略中央部には、一対の端子ピン２０が短手方向に沿って並設されており、上面の長手方向の両端部には、それぞれ磁着片２１が配設されている。器体２の下面（図２（ａ）における下側の面）の略中央部には、電気機器等の負荷（図示せず）に備えられたプラグのプラグ栓刃が挿抜自在な略円弧状の一対の栓刃挿入孔２ａが貫設されている。また、器体２上面の端子ピン２０に挟まれた位置には、上面の法線方向に窪んだ凹状の位置決め凹部２ｂが上面の長手方向に沿って設けられており、該位置決め凹部２ｂに第１のアダプタ半体Ａの位置決め凸部１９ｂを嵌合することで、第１のアダプタ半体Ａと第２のアダプタ半体Ｂとの位置決めを行うことができる。
【００２０】
ここで、本実施形態では、図１（ａ）に示すように、第１のアダプタ半体Ａの器体１を前面部１ａの法線方向と底面部１ｂの法線方向との成す角度が鈍角となるように形成している。即ち、栓刃１０の挿抜方向と端子ピン２０の挿抜方向との成す角度が鈍角となっているので、水平方向における突出量を抑えることができ、また、従来例のように栓刃１０の挿抜方向と端子ピン２０の挿抜方向との成す角度が直角の場合と比較して、第２のアダプタ半体Ｂを第１のアダプタ半体Ａに対して容易に着脱することができる。
【００２１】
また、器体１の底面部１ｂには、図１（ａ）〜（ｃ）に示すように、開口１ｅの内周縁の四隅にそれぞれ略三角形状の係止部１ｄが一体に形成されており、各係止部１ｄは、中カバー１３の四隅と当接するようになっている。このため、第１のアダプタ半体Ａに接続された第２のアダプタ半体Ｂを引き抜く際に、中カバー１３の四隅が各係止部１ｄに当接することで、マグネット１６と磁着片２１との間に作用する磁着力によって中カバー１３にかかる荷重を各係止部１ｄで受けることができる。而して、第２のアダプタ半体Ｂを引き抜く動作に伴って中カバー１３が脱落するのを防ぐことができる。
【図面の簡単な説明】
【００２２】
【図１】本発明に係るマグネット式コンセントアダプタの実施形態を示す図で、（ａ）は側面図で、（ｂ）は下面図で、（ｃ）は断面図である。
【図２】同上の第２のアダプタ半体を示す図で、（ａ）は上側から見た斜視図で、（ｂ）は下側から見た斜視図である。
【図３】同上の第１のアダプタ半体の器体内部の説明図で、（ａ）は一部省略した斜視図で、（ｂ）は断面図である。
【図４】同上のマグネット及びヨークの配置を示す一部省略した斜視図である。
【図５】同上のマグネットの他の構成を示す図で、（ａ）は下面図で、（ｂ）は一部省略した斜視図である。
【符号の説明】
【００２３】
１，２  器体
１ｄ  係止部
１ｅ  開口
１０  栓刃
１１  端子部
１３  中カバー
１３ａ，１４ａ  挿通孔
１６  マグネット
２０  端子ピン
２１  磁着片
Ａ  第１のアダプタ半体
Ｂ  第２のアダプタ半体
【図１】
0005060339.tif 000002
【図２】
0005060339.tif 000003
【図３】
0005060339.tif 000004
【図４】
0005060339.tif 000005
【図５】
0005060339.tif 000006